(57)【特許請求の範囲】
【請求項１】
バッテリパックに収納されたバッテリと該バッテリからの電力で動作するモータを含む所要の電子機器とがバッテリコネクタで電気的に結合され、該バッテリコネクタの近傍に前記モータを制御する制御回路の構成素子を含む所要の電子部品を実装した基板が配置されている充電電動工具であって、
前記バッテリコネクタの四囲に側板部を立設して該バッテリコネクタをケース化し、該バッテリコネクタに対し前記基板が所要の組付構造となるように前記ケース化したバッテリコネクタ内に前記基板を挿入し、当該ケース化したバッテリコネクタ内に滴下されて固化したポッティング材により前記バッテリコネクタに対し前記基板を一体化したことを特徴とする充電電動工具。
【発明の詳細な説明】
【技術分野】
【０００１】
本発明は、充電インパクトドライバ等の充電電動工具に関するものであり、特に、生産性、組付性と共に耐環境性を向上させ、さらには部品点数を削減しうるようにした充電電動工具に関するものである。
【背景技術】
【０００２】
一般に、充電インパクトドライバ等の充電電動工具には、工具の動作モードを切替える操作部を含む操作パネルと、該操作部からの操作信号を基にモータの最大回転数等を制御する制御回路を実装した基板（制御基板）とが備えられ、該操作パネル及び制御基板がバッテリパック取付部に近いハウジングの前方突出部に配置されている。
【０００３】
これに関連する従来技術として、例えば、次のような可搬式電動工具が知られている。この従来技術は、制御回路を実装したプリント基板をモジュール化して制御回路モジュールとし、該制御回路モジュールをバッテリパック取付部に近いハウジングの前方突出部に内装している。そして、該制御回路モジュールに、バッテリパック取付部の前方突出部上面に設けた表示パネル及びモード切替え操作部を配線接続している（例えば、特許文献１参照）。
【先行技術文献】
【特許文献】
【０００４】
【特許文献１】特開２００５−１４４５６４号公報
【発明の概要】
【発明が解決しようとする課題】
【０００５】
充電電動工具において、バッテリパックに収納されたバッテリと、該バッテリからの電力で動作するモータや制御回路等との電気的な接続は、一般に両者間を電気的に結合するバッテリコネクタにより行われる。そして、該バッテリコネクタは、バッテリパック取付部側に設けられており、前記制御回路を実装した基板は、このバッテリコネクタ部分にねじ止めされてバッテリパック取付部に近いハウジングの前方突出部に配置されている。ところで、充電電動工具に組付けられる制御回路を実装した基板は、防塵、防湿等の耐環境性を高めることが求められるものであり、このためには、前記制御回路を実装した基板に対し通常、樹脂コーティング等が行われる。しかしながら、上記の場合は、バッテリコネクタに対する制御回路を実装した基板のねじ止めによる組付工程と、樹脂コーティング工程とが別工程になる上、樹脂コーティング工程は手作業となって生産性の低下を招くことになる。
【０００６】
また、特許文献１に記載の従来技術においては、制御回路を実装したプリント基板を制御回路モジュールとしてバッテリパック取付部に近いハウジングの前方突出部に内装している。この制御回路等を実装したプリント基板のモジュール化には、該プリント基板をケースに入れ、このケース内にエポキシ系、シリコーン系等の液状粘稠性樹脂を一定量滴下するポッティング処理により、前記制御回路を実装したプリント基板をエポキシ系、シリコーン系等の樹脂でコーティングするプラスチックパッケージとする方法が多く用いられる。しかし、この場合は、制御回路モジュールがバッテリコネクタから分離した形で形成されるため、該制御回路モジュールを該バッテリコネクタに対し電気的な配線接続を行うことが必要であり、また工具本体に対する制御回路モジュールの組付性も悪くなる。さらには、制御回路を実装したプリント基板をプラスチックパッケージとする際のケースも必要となって部品点数の増加や、該ケースを収容するスペースを確保するために工具本体の全高アップも招くことになる。
【０００７】
そこで、バッテリコネクタに基板を効率的に一体化して生産性、組付性と共に耐環境性を向上させ、さらには部品点数の削減や工具本体をコンパクトに設計するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、バッテリパックに収納されたバッテリと該バッテリからの電力で動作するモータを含む所要の電子機器とがバッテリコネクタで電気的に結合され、該バッテリコネクタの近傍に前記モータを制御する制御回路の構成素子を含む所要の電子部品を実装した基板が配置されている充電電動工具であって、前記バッテリコネクタの四囲に側板部を立設して該バッテリコネクタをケース化し、該バッテリコネクタに対し前記基板が所要の組付構造となるように前記ケース化したバッテリコネクタ内に前記基板を挿入し、当該ケース化したバッテリコネクタ内に滴下されて固化したポッティング材により前記バッテリコネクタに対し前記基板を一体化した充電電動工具を提供する。
【０００９】
この構成によれば、バッテリコネクタに対する基板の組付け時に、ケース化したバッテリコネクタ内に基板を挿入し、ポッティング処理を施すのみでバッテリコネクタに対し基板が所要の組付構造で一体化されるとともに基板上に実装した所要の電子部品等がポッティング材であるエポキシ系、シリコーン系等の熱硬化性樹脂でコーティングされる。
【発明の効果】
【００１０】
請求項１記載の発明は、バッテリコネクタに対する基板の組付け時に、ポッティング処理を施すのみで、ねじ止め工程等を必要とすることなく、バッテリコネクタに対し基板が効率的に一体化されて生産性及び工具本体への基板の組付性の向上と共に所要部分が熱硬化性樹脂でコーティングされることで防塵、防湿等の耐環境性が向上し、さらには部品点数を削減することができるという利点がある。
【図面の簡単な説明】
【００１１】
図は本発明の実施例に係る充電電動工具を示すものである。
【図１】基板が組込まれている部分の内部構成を示す部分縦断面図。
【図２】基板とケース化したバッテリコネクタ部分を示す斜視図。
【図３】ケース化したバッテリコネクタ内に基板を挿入して一体化した状態を示す斜視図。
【発明を実施するための形態】
【００１２】
本発明は、バッテリコネクタに基板を効率的に一体化して生産性、組付性と共に耐環境性を向上させ、さらには部品点数の削減や工具本体をコンパクトに設計するという目的を達成するために、バッテリパックに収納されたバッテリと該バッテリからの電力で動作するモータを含む所要の電子機器とがバッテリコネクタで電気的に結合され、該バッテリコネクタの近傍に前記モータを制御する制御回路の構成素子を含む所要の電子部品を実装した基板が配置されている充電電動工具であって、前記バッテリコネクタの四囲に側板部を立設して該バッテリコネクタをケース化し、該バッテリコネクタに対し前記基板が所要の組付構造となるように前記ケース化したバッテリコネクタ内に前記基板を挿入し、当該ケース化したバッテリコネクタ内に滴下されて固化したポッティング材により前記バッテリコネクタに対し前記基板を一体化することにより実現した。
【実施例１】
【００１３】
以下、本発明の好適な実施例を図１乃至図３を参照して説明する。本実施例の充電電動工具は充電インパクトドライバに適用されている。まず、本実施例に係る充電電動工具の構成を説明する。図１に示すように、充電電動工具は、ハウジングにおける図示しないシリンダ状部に、回転源であるモータと、該モータの回転を減速伝達する駆動部と、該駆動部で設定された回転出力を出力する出力軸の一部とが内装されている。前記シリンダ状部から下方に延びるグリップ部１ａの下端にバッテリパック取付部１ｂが形成され、該バッテリパック取付部１ｂに図示しないバッテリパックが着脱自在に設けられている。
【００１４】
前記バッテリパック取付部１ｂの部分には、当該充電電動工具の動作モードを切替操作する操作部を備えた操作パネル２と、前記操作部で設定された操作信号を基に前記モータを制御する図示しない制御回路の構成素子を含む所要の電子部品を実装したプリント基板３とが組込まれている。該プリント基板３上の制御回路等からは、前記モータ等に向けて所要の信号線４が立ち上げられている。
【００１５】
そして、前記バッテリパックに収納された図示しないバッテリと、該バッテリからの電力で動作する前記モータ及び前記制御回路を含む所要の電子機器とを電気的に結合するためのバッテリコネクタ５がバッテリパック取付部１ｂ側に設けられている。前記プリント基板３は、該バッテリコネクタ５上に一体的に取付けられている。
【００１６】
図２に示すように、該バッテリコネクタ５の四囲には側板部６が立設され、該バッテリコネクタ５は、その上部にプリント基板３を一体的に取付けるため、低高のケース状化されている。そして、プリント基板３に実装された制御回路等とバッテリコネクタ５間で所要の配線接続が行われた上で、ケース化されたバッテリコネクタ５内にプリント基板３が所要の組付構造となるように挿入され、ポッティング処理によりケース化されたバッテリコネクタ５内に図示しないポッティング材が滴下されて固化し、プリント基板３は、バッテリコネクタ５上に所要の組付構造で一体化されている。図３は、ケース化されたバッテリコネクタ５に対し、プリント基板３が所要の組付構造で一体化された状態を示している。
【００１７】
次に、上述のように構成された充電電動工具の作用を説明する。バッテリコネクタ５に対するプリント基板３の組付け時に、プリント基板３に実装された制御回路等とバッテリコネクタ５間で所要の配線接続を行った上で、ケース化されたバッテリコネクタ５内にプリント基板３を所要の組付構造となるように挿入し、ケース化されたバッテリコネクタ５内にポッティング材を滴下してポッティング処理を施すことでバッテリコネクタ５に対しプリント基板３が所要の組付構造で一体化される。また、これとともにプリント基板３上に実装された制御回路の構成素子を含む所要の電子部品がポッティング材であるエポキシ系、シリコーン系等の熱硬化性樹脂でコーティングされる。
【００１８】
なお、ポッティング処理前に、ケース化されたバッテリコネクタ５内にプリント基板３を所要の組付構造となるように挿入したとき、プリント基板３は、バッテリコネクタ５にねじやスナップフィット等によって仮止めしておいてもよい。
【００１９】
上述したように、本実施例に係る充電電動工具においては、バッテリコネクタ５に対するプリント基板３の組付け時に、ポッティング処理を施すのみで、ねじ止め工程等を必要とすることなく、バッテリコネクタ５に対しプリント基板３が効率的に一体化されて生産性及び工具本体へのプリント基板３の組付性の向上と共にプリント基板３上に実装された所要の電子部品等がエポキシ系、シリコーン系等の熱硬化性樹脂でコーティングされることで防塵、防湿等の耐環境性が向上する。
【００２０】
また、ポッティング処理によりバッテリコネクタ５に対しプリント基板３を一体化したときは、ポッティング処理以外のねじ止め等による組付けに比べて両者間に不要な空隙がなくなって、一体化組付け体の全高が低くなるという効果もある。
【００２１】
なお、本発明は、本発明の精神を逸脱しない限り種々の改変をなすことができ、そして、本発明が該改変されたものにも及ぶことは当然である。
【産業上の利用可能性】
【００２２】
バッテリコネクタに所要の電子部品を実装した基板を効率的に一体化して生産性、組付性と共に耐環境性を向上させ、さらには部品点数を削減することが不可欠な充電インパクトドライバその他の可般式電動工具に適用することが可能である。
【符号の説明】
【００２３】
１ａ  グリップ部
１ｂ  バッテリパック取付部
２    操作パネル
３    プリント基板（基板）
４    信号線
５    バッテリコネクタ
６    側板部
【図１】
0005407849.tif 000002
【図２】
0005407849.tif 000003
【図３】
0005407849.tif 000004